(57)【要約】      （修正有）【課題】開閉部材から操作口を通して表出する操作凸部の操作によって振り出し口を開閉するキャップを備えた振り出し容器において、振り出しに際して振り出し口周りで粒状物が詰まり難くなるようにし、良好に粒状物が排出されるようにする。【解決手段】振り出し容器１のキャップ３に、粒状物が通る粒状物通過空間２１をキャップ天面板７側に近付くに従い漸次狭めて、粒状物の移動方向を天面板７の天面板中心線位置２２側に向けるガイド１９が設けられ、キャップ３の内部で天面板７下で移動可能な開閉部材１２の下面に対の障壁１７が一体に設けられ、その障壁１７の間の空間２３で、振り出し時に粒状物通過空間２１を経て開閉部材１２に達する粒状物を保持可能な保持部２４を形成した。【選択図】図３
2015051795.tif 000002
【特許請求の範囲】
【請求項１】
粒状物を収納する容器本体の上部にキャップを取り付けていて、前記キャップは、縦断面形状を円弧状にした天面板の一方の下り面側に振り出し口が設けられ、対向する他方の下り面側に操作口が設けられていて、内部に、前記天面板の凹面状の下面に沿って移動して前記振り出し口を開閉し、前記操作口からキャップ外方に向けて操作凸部を突出させて操作口をキャップ内方から覆う開閉部材と、前記開閉部材を天面板の前記下面に沿って振り出し口閉鎖方向に移動するように付勢する板ばね部材とが配置され、前記板ばね部材の付勢力に抗した操作凸部による前記振り出し口閉鎖方向とは反対方向への開閉部材移動操作で振り出し口が開放されて、容器本体に収納の前記粒状物が、前記キャップを容器本体より下にした容器姿勢にして前記開放された振り出し口から振り出し可能とされる振り出し容器において、
前記キャップには、前記振り出し時に天面板側へ移動する粒状物が通るキャップ内の粒状物通過空間を前記天面板側に近付くに従い漸次狭めて、前記粒状物通過空間を通る粒状物の移動方向を天面板の長手方向に沿う天面板中心線位置側に向けるガイドが設けられ、
前記開閉部材の下面には、該天面板中心線位置に沿った方向に離間した対の障壁が一体に設けられ、前記対の障壁の間の空間が、前記ガイドによって狭められた粒状物通過空間に連続していて、前記振り出し時に粒状物通過空間を経て開閉部材の前記下面に達する粒状物を保持可能な保持部が、障壁の間に形成されていることを特徴とする振り出し容器。
【請求項２】
上記ガイドは、上記天面板を間にして対向する位置にあるキャップ内面それぞれに一体にして設けられ、上記開閉部材が、天面板と前記ガイドとに移動可能に支持されている請求項１に記載の振り出し容器。
【請求項３】
上記キャップは、上記天面板に上記振り出し口と上記操作口とが開口されているキャップ本体と、キャップ本体に一方の端部がヒンジを介して連接されている上記板ばね部材と、板ばね部材の他方の端部にヒンジを介して連接され、前記板ばね部材を湾曲させた状態での前記キャップ本体の天面板の下面側への配置により板ばね部材からの天面板の内面に沿った振り出し口閉鎖方向への付勢力を受ける開閉部材とが、合成樹脂材により一体に形成されている請求項１または２に記載の振り出し容器。
【発明の詳細な説明】
【技術分野】
【０００１】
本発明は、粒菓子などの粒状物を収納して片手で手持ちできる携帯可能な大きさの振り出し容器に関するものである。
【背景技術】
【０００２】
従来からこの種の振り出し容器は、粒状物を収納する容器本体を縦長にしてその本体胴部の平断面形状を片手で握り持ちし易い平断面形状とし、その容器本体の開放された上部に開閉できる振り出し口があるキャップを装着し、振り出し口を開きながらキャップを容器本体より下にした容器姿勢にして振り出し口から粒状物を振り出しできるようにしていて、振り出し口の開閉を指先の操作で行なう構造を備えた振り出し容器が提案されている。
【０００３】
例えば、特許文献１に示されているように、キャップの天部下面から下垂した壁に沿って押し下げ操作する釦部材に、キャップの天部に位置する振り出し口を開閉する蓋を連接部材を介して連接し、板ばね部材で上方に付勢されている前記釦部材を押し下げることで蓋が開く方向に回動しながらキャップ内に引き込んで振り出し口が開くようにしたものがある。
【０００４】
また、特許文献２においても、同様にキャップの天部下面から下垂した壁に沿って釦部材を押し下げ操作できるようにし、その釦部材に、キャップの側壁で開口の振り出し口を開閉するシャッター部材を連接して、板ばね部材で上方に付勢されている釦部材を押し下げることでシャッター部材が下がって振り出し口が開くようにした振り出し容器が提案されている。
【０００５】
上述した従来の振り出し容器のキャップでは、押し下げする釦部材にその釦部材を常時上方（振り出し口が閉鎖される動作が行なわれる方向）に上記板ばね部材がヒンジを介して連接され、さらにその板ばね部材の他方がキャップ本体に連結していて、振り出し口等の開口部分のあるキャップ本体と、振り出し口を開閉する蓋やシャッターなどの部材と前記板ばね部材とが一体にして合成樹脂材にて成形され、釦部材と蓋、シャッターなどの部材とが一体となった部材をキャップ本体の内部に配置するときに板ばね部材を屈曲させ、その板ばね部材が反発する力を、振り出し口閉鎖動作に利用するものであった。
【０００６】
また、特許文献３にあっては公報掲載の図４として、振り出し口を開閉する開閉部材に上記板ばね部材が一体に連結されているものではないが、屈曲した板ばね部材によって開閉部材が振り出し口閉鎖方向に付勢する構成が示されている。
【０００７】
この特許文献３に示された振り出し容器においては、キャップは、縦断面形状を上方に凸の円弧状にした天面板の一方の下り面側に振り出し口を配し、他方の下り面側に操作口を配したキャップ本体と、前記キャップ本体の天面板の凹面状の下面に対応して配置され、縦断面形状を上方に凸の円弧状にした上板部を有してそのキャップ本体の前記天面板の長手方向に沿って移動できる開閉部材と、キャップ本体の前記操作口がある下り面側の壁部下部にヒンジを介して板ばね部材を連接している。
【０００８】
そして、上記板ばね部材を反発力が生じるように湾曲させながら開閉部材の下面に設けた係止部分にその板ばね部材の他端を挿入して、開閉部材に振り出し口閉鎖方向へ移動するように常時付勢力を付与している。さらに、開閉部材の上板部には、操作口から外方に突出する操作凸部が設けられており、開閉部材が振り出し口閉鎖方向に移動してその振り出し口を全閉している時点で、前記操作凸部が操作口でのキャップ頂部側の開口縁に当接して開閉部材が振り出し口を閉じている状態から先に移動しないように位置規制し、また、板ばね部材の付勢力に抗して操作凸部を引き下ろすことで、前記振り出し口閉鎖方向とは反対方向へ開閉部材が移動して振り出し口が開放されるようにしたものであった。
【先行技術文献】
【特許文献】
【０００９】
【特許文献１】特許第３５２２２２４号公報
【特許文献２】特開２０１１−１７８４２４号公報
【特許文献３】特開２０００−０６２８６３号公報（図４）
【発明の概要】
【発明が解決しようとする課題】
【００１０】
ところで振り出し容器から粒状物を排出する場合には、上述したように振り出し口を開けた状態にし、容器本体が上でキャップが下になるようにして容器を傾けて、下方に向いた振り出し口から粒状物を出す操作をする。そして、天面板が円弧状で振り出し口と操作口とが設けられている上記キャップを備えた振り出し容器では、開閉部材の操作凸部を振り出し口開放方向に移動させる操作を行なうときには、その操作凸部を操作する指先が動く方向と、振り出し口を閉じていた開閉部材が開く方向に移動する方向とが同じであるため、指先で直接的に振り出し口を開く感覚となり、振り出し口を目視しなくとも振り出し口の開き具合を把握し易く操作性が良好であるという利点があった。
【００１１】
しかしながら、上記振り出し容器では、キャップ本体の形状が上方に凸の形状となっていることからその内部には上方に凸になった空間が広がっており、振り出しの際に上述したキャップ本体が下となる容器姿勢とすると、容器本体側から多くの粒状物がまとまってキャップ本体の天面板側に向けて移動して振り出し口側を含むキャップ本体の内部全体を埋めて振り出し口近傍で詰まりが発生し易い。そのため振り出し口が開いているにもかかわらず粒状物が振り出し口から出難くなるという不具合があった。
【００１２】
これは、図６に示すようにキャップ本体ａが下となるように傾けたときに、キャップ本体ａの天面板ｂ側に向かう粒状物ｃがその移動方向に対して直交する方向にズレを伴ないながら移動して、振り出し口ｄ側を含む天面板ｂの下面側に集合しており、その集合状態は、前記ズレによって粒状物ｃの隙間が少なくなって粒状物ｃの集積度合いが幾分高まっている。そして、開いた振り出し口に最も近い位置にあった粒状物が容器の外に排出された後に空間が生じると、その空間に向けて、振り出し口に近いキャップ本体の側面板側で集積した状態で並んでいた粒状物のまとまりが移動するとともに、天面板の下面側で集積していた粒状物のまとまりが下りてきて、複数方向から振り出し口へズレるように動いた粒状物同士が当接し合うことでその粒状物の集積度合いを高めてしまい、その結果、振り出し口周りで詰まりを生じさせてしまうものであった。
【００１３】
勿論、キャップ本体の天面板の下には開閉部材が位置しているが、その開閉部材もキャップ本体と同様に内部が上方に凸の空間となってその空間がキャップ本体の内部の空間と連続しているため、上記振り出し時には天面板に向けてまとまって移動してきた粒状物はこの開閉部材の内部に位置してもそのまとまった状態は崩れず、上述したようにその状態で振り出し口に向けてずれ込むため、キャップ本体の側面板側からの粒状物とで振り出し口周りで詰まりを生じさせていた。
【００１４】
そこで本発明は上記事情に鑑み、天面板を縦断面円弧状として一方の下り面に振り出し口を設け、他方の下り面に操作口を設けて、天面板の下部にその天面板に沿って移動可能に配した開閉部材が、該開閉部材から操作口を通して表出する操作凸部の操作によって振り出し口を開閉するキャップを備えた振り出し容器において、振り出しに際して振り出し口周りで粒状物が詰まり難くなるようにすることを課題とし、良好に粒状物を振り出し口から排出させることができる振り出し容器を提供することを目的とするものである。
【課題を解決するための手段】
【００１５】
（請求項１の発明）
本発明は上記課題を考慮してなされたもので、粒状物を収納する容器本体の上部にキャップを取り付けていて、前記キャップは、縦断面形状を円弧状にした天面板の一方の下り面側に振り出し口が設けられ、対向する他方の下り面側に操作口が設けられていて、内部に、前記天面板の凹面状の下面に沿って移動して前記振り出し口を開閉し、前記操作口からキャップ外方に向けて操作凸部を突出させて操作口をキャップ内方から覆う開閉部材と、前記開閉部材を天面板の前記下面に沿って振り出し口閉鎖方向に移動するように付勢する板ばね部材とが配置され、前記板ばね部材の付勢力に抗した操作凸部による前記振り出し口閉鎖方向とは反対方向への開閉部材移動操作で振り出し口が開放されて、容器本体に収納の前記粒状物が、前記キャップを容器本体より下にした容器姿勢にして前記開放された振り出し口から振り出し可能とされる振り出し容器において、
前記キャップには、前記振り出し時に天面板側へ移動する粒状物が通るキャップ内の粒状物通過空間を前記天面板側に近付くに従い漸次狭めて、前記粒状物通過空間を通る粒状物の移動方向を天面板の長手方向に沿う天面板中心線位置側に向けるガイドが設けられ、
前記開閉部材の下面には、該天面板中心線位置に沿った方向に離間した対の障壁が一体に設けられ、前記対の障壁の間の空間が、前記ガイドによって狭められた粒状物通過空間に連続していて、前記振り出し時に粒状物通過空間を経て開閉部材の前記下面に達する粒状物を保持可能な保持部が、障壁の間に形成されていることを特徴とする振り出し容器を提供して、上記課題を解消するものである。
【００１６】
（請求項２の発明）
また、本発明において、上記ガイドは、上記天面板を間にして対向する位置にあるキャップ内面それぞれに一体にして設けられ、上記開閉部材が、天面板と前記ガイドとに移動可能に支持されているものとすることが良好である。
【００１７】
（請求項３の発明）
また、本発明において、上記キャップは、上記天面板に上記振り出し口と上記操作口とが開口されているキャップ本体と、キャップ本体に一方の端部がヒンジを介して連接されている上記板ばね部材と、板ばね部材の他方の端部にヒンジを介して連接され、前記板ばね部材を湾曲させた状態での前記キャップ本体の天面板の下面側への配置により板ばね部材からの天面板の内面に沿った振り出し口閉鎖方向への付勢力を受ける開閉部材とが、合成樹脂材により一体に形成されているものとすることが良好である。
【発明の効果】
【００１８】
（請求項１の発明の効果）
請求項１の発明によれば、キャップが下となる振り出し時にキャップの天面板側に集まった粒状物の一部分を開閉部材の障壁の間で保持することができるようにしているので、振り出し口周りで粒状物の排出で生じた空間に開閉部材の内部側からのまとまった複数の粒状物のズレ落ちを抑えるようになり、その振り出し口周りでの粒状物の集積度合いが高まらないようにして詰まりのないスムーズな排出を行なわせることができる。
【００１９】
（請求項２の発明の効果）
請求項２の発明によれば、キャップの天面板に向けて移動する粒状物の並びを整えるガイドが開閉部材を支える機能も兼ねることから、キャップ内の構造がシンプルなものとなり、合成樹脂材にてキャップを成形する場合での樹脂量を削減する上で効果的なものとなる。
【００２０】
（請求項３の発明の効果）
請求項３の発明によれば、キャップ本体と板ばね部材と開閉部材とが合成樹脂材により一体に成形されてなるものとすることで成形コストを引き下げることが可能となる。
【図面の簡単な説明】
【００２１】
【図１】本発明に係る振り出し容器の一例を斜視状態で示す説明図である。
【図２】同じく一例を示すもので、（イ）は上方から見た状態を示す説明図、（ロ）は操作口が位置する側から見た状態を示す説明図、（ハ）はキャップ本体の一方の側面板側から見た状態を示す説明図、（ニ）は振り出し口が位置する側から見た状態を示す説明図、（ホ）キャップ本体の他方の側面板側から見た状態を示す説明図である。
【図３】図２（イ）Ａ−Ａ線に沿った断面を示す説明図である。
【図４】図３Ｂ−Ｂ線に沿った断面を一部拡大して示す説明図である。
【図５】一例での振り出しを示す説明図である。
【図６】従来例での振り出しを示す説明図である。
【発明を実施するための形態】
【００２２】
つぎに本発明を図１から図５に示す実施の例に基づいて詳細に説明する。図中１は振り出し容器で、該振り出し容器１は粒状物を収納する縦長の容器本体２とこの容器本体２の上部に取り付けられているキャップ３とからなるものである。前記キャップ３にあっては、図１と図２に示されているように平断面形状を略長方形とした容器本体２の胴部形状と連続するように対の広幅の側面板５とこの側面板５の側端部に連続するようにして位置する狭幅の側面板６とで周囲四方の面が形成され、さらに前記広幅の側面板５の上端部に連続するようにして縦断面形状を円弧状とした天面板７が形成されている。
【００２３】
（キャップ）
上記キャップ３は、三部材を合成樹脂材にて一体にして成形してなるものであって、上記天面板７の頂部部分から一方の下り面側に振り出し口８を設けるとともに対向する他方の下り面側に操作口９を設けて、上記一対の広幅の側面板５と一対の狭幅の側面板６を四方周面部分として有するキャップ本体１０と、振り出し口８を開閉するとともに、振り出し口開閉操作を行なうための操作凸部１１を操作口９から容器外方に向けて突出するようにして有した開閉部材１２と、板ばね部材１３とからなるものである（図３）。
【００２４】
（板ばね部材）
そして、上記板ばね部材１３は、一方の端部が前記キャップ本体１０の一つの狭幅の側面板（操作口側の側面板）にヒンジを介して連接され、他方の端部が開閉部材１２の操作凸部１１がある側の端部にヒンジを介して連接されていて、この板ばね部材１３を曲げながら開閉部材１２をキャップ本体１０の天面板７の下面に配することで、その板ばね部材１３の作用（反発力）により開閉部材１２を常時振り出し口閉鎖方向に移動するように付勢する。
【００２５】
（開閉部材）
上記開閉部材１２は、キャップ本体１０の上記天面板７の凹面状とされた下面に沿って移動することができるように、天面板７の下面の形状に応じて前記天面板７と同様に縦断面形状を上方に凸の円弧状にした上板部１４と、この上板部１４の両側辺から下垂した板部であって、それぞれの下辺中央に上方に凸の円弧状の形状を呈するガイド受け１５を有する側板部１６とからなるものであり、上下を反転させた略舟形状に形成されている。さらに前記上板部１４の下面には、その上板部１４の頂部部分を間にして上板部１４の長手方向（キャップ本体の天面板７の長手方向）に離間した対の障壁１７が一体に設けられている（図３、図４）。
【００２６】
そして、開閉部材１２を、板ばね部材１３を曲げて反発力を生じさせながらキャップ本体１０の天面板下に組み入れることで、前記上板部１４での板ばね部材１３が連結されている部分とは反対側の部分が振り出し口８を開閉する部分となり、また、板ばね部材１３が連結されている部分の下り面側に上記操作凸部１１が設けられていて、この操作凸部１１が操作口９から容器外に向けて突出配置されるようにしており、板ばね部材１３の反発力で開閉部材１２が天面板７の長手方向にして振り出し口８側に常時押されるように付勢されてその振り出し口８を全閉した時点で操作凸部１１の近傍に設けたストッパー１８が操作口９でのキャップ頂部側の縁に当接して開閉部材１２がそれ以上振り出し口閉鎖方向に移動しないように位置決めされる。また、板ばね部材１３の付勢力に抗しながら操作凸部１１を振り出し口開放方向に引き下ろして操作口９での側面板６側の縁に当接させることで、振り出し口８を全開にして開閉部材１２が位置決めできる。
【００２７】
（ガイド）
振り出し口８の開閉操作に際して上記開閉部材１２をキャップ本体１０の天面板７の下面に沿って移動させ、その移動が、天面板形状の円弧を一部として想定できる円の中央を中心として旋回する動きとなるようにした工夫が設けられている。即ち、キャップ本体１０の上記広幅の側面板５の内面それぞれに、前記円の中央を中心として想定できる円の一部となる円弧を上縁形状とするガイド１９が、開閉部材１２のガイド受け１５に対応する位置にして設けられており、開閉部材１２の上板部１４が天面板７の下面と摺接するとともに、開閉部材１２の側板部１６の下端中央に位置する前記ガイド受け１５が前記ガイド１９に摺接可能とされており、開閉部材１２がこのガイド１９と天面板７とに移動可能に支持されている（図４）。
【００２８】
（ガイドの斜面）
さらにガイド１９それぞれには、図４での断面で示されているようにキャップ本体１０の側面板５での上記円の中央側となる部分から上記ガイド受け１５が乗る部分にかけて斜面２０が設けられている。このようにガイド１９それぞれに前記斜面２０を設けていて、粒状物を排出するために容器姿勢において容器本体２を上にしキャップ３を下になるように傾けたときに、即ち、粒状物を振り出すときに天面板７側へ移動する粒状物が通るキャップ本体内での粒状物通過空間２１を天面板７側に近付くに従い漸次狭めている。
【００２９】
そして、上記粒状物通過空間２１が天面板７側に近付くに従い、その粒状物通過空間２１を通る粒状物の移動方向を天面板７の長手方向に沿う天面板中心線位置２２側に向けるように設けられており、振り出しした際に移動方向に対して直交する方向にズレを持った状態でこの粒状物通過空間２１に粒状物が差し掛かっても、粒状物の並びがある程度整列されるようになり、粒状物の集積が緩和された状態で天面板７側に粒状物が移動することとなる。
【００３０】
（開閉部材の障壁）
上記開閉部材１２の下面には上述したように対の障壁１７が天面板中心線位置２２に沿った方向（上板部長手方向）に離間した状態で設けられており、この障壁１７は開閉部材１２の側板部１６の間に亘って位置し、開閉部材１２の強度を高める働きを有する。さらに、この離間配置された対の障壁１７の間の空間２２は、上記粒状物通過空間２１と連続しており、振り出し時に粒状物通過空間２１を経て或る程度整列された状態での粒状物の一部がこの空間２３へと入り込み、開閉部材１２の下面に達するようになる。
【００３１】
振り出し口８が開かれて粒状物が振り出された時に上記空間２３へと粒状物の数個が入り込めば、空間２３自体がその粒状物を保持して直ぐには振り出し口８側へ移動させないように規制する保持部２４としての役割を果たすこととなり、これによって振り出し口８周りでの粒状物による集積度合いがさらに緩和され、詰まりを生じさせることなしにスムーズに粒状物の排出が行なえるものとなる（図５）。このように離間した対の障壁１７はその間に前記保持部２４を形成するとともに、開閉部材１２を補強するものであり、この開閉部材１２は極めて有益な構造を備えているものである。なお、図において矢印は粒状物の動きを概略的に示すものである。
【００３２】
なお、本発明の振り出し容器に収納される粒状物としては、例えばチューインガム、キャンディ、錠菓、チョコレート、焼き菓子、米菓などに糖衣を施した球状の菓子、また、糖衣を施していないチューインガムやキャンディ、錠菓、米菓などの球状の菓子、更には球状のカプセル剤や錠剤、サプリメントなどが挙げられる。また、玩具向けの球状の弾丸やガラス玉なども挙げられる。
【００３３】
また、ガイド１９の斜面２０は、天面板７に近い側の一部分については、狭幅の側面板６に近い側の斜面２０と比較して緩やかな斜面となるように設計しても良い。このことにより、粒状物を保持部２４内によりスムーズに入り込ませることが可能となる。
【符号の説明】
【００３４】
１…振り出し容器
３…キャップ
５…広幅の側面板
７…天面板
８…振り出し口
９…操作口
１０…キャップ本体
１１…操作凸部
１２…開閉部材
１３…板ばね部材
１４…上板部
１５…ガイド受け
１７…障壁
１９…ガイド
２０…斜面
２１…粒状物通過空間
２３…障壁の間の空間
２４…保持部
【図１】
2015051795.tif 000003
【図２】
2015051795.tif 000004
【図３】
2015051795.tif 000005
【図４】
2015051795.tif 000006
【図５】
2015051795.tif 000007
【図６】
2015051795.tif 000008